(57)【特許請求の範囲】
【請求項１】
作用片（２，３）を進退させることによって作用片（２，３）に所望の動作をなさせるスライダー機構（１）であって、
ボディ（４）とこれを覆うカバー（５）とからなって内部に収納空間を形成し、この収納空間内に回動軸（１５ａ）を有したケース（６）と、
前記作用片（２，３）を有するスライド板（７）と、前記回動軸（１５ａ）に回動可能に支持され、かつその正方向への回動により前記スライド板（７）を前進方向に押圧するように設けられたリンク（８）と、動作片（１３）を有し、この動作片（１３）が押圧されることにより前記リンク（８）を押圧して前記回動軸（１５ａ）を軸に該リンク（８）をその正方向へ回動させ、このリンク（８）の回動によって前記スライド板（７）を前進させるとともに、該リンク（８）が逆方向に回動した際、これに連動して後退するボタン板（９）とからなり、前記ケース（６）内にてそれぞれ初期位置と動作位置との間を移動可能に配設された動作部（１０）と、
前記スライド板（７）をその動作位置側から初期位置側に向けて付勢する第１の付勢部材（１８）と、前記リンク（８）の回動端側が正方向に回動させられているとき、これをその逆方向に付勢する第２の付勢部材（３２）とからなる付勢部（１１）とを備え、
前記ケース（６）には、前記スライド板（７）の移動方向に沿って延びて前記作用片（２）を進退可能に突出させる作用口（１２）と、前記動作片（１３）をケース（６）の外に突出させるための開口（１４）と、係止窓（２１）とが形成され、
前記スライド板（７）には、前記係止窓（２１）に着脱可能に係止する係止部（４２）を備えたフック（３４）が弾性変形可能に設けられ、
前記リンク（８）には、前記フック（３４）の係止部（４２）が前記係止窓（２１）に係止しているとき、該リンク（８）が正方向に回動せしめられると前記フック（３４）を押圧して弾性変形させ、前記係止部（４２）の前記係止窓（２１）への係止を解除する押圧片（２９）が設けられ、
前記付勢部（１１）は、前記動作片（１３）が押圧されてリンク（８）がその正方向に回動せしめられることにより前記スライド板（７）が前進し、前記フック（３４）の係止部（４２）が前記係止窓（２１）に到達してフック（３４）が弾性復帰することにより該係止部（４２）が係止窓（２１）に係止した後、動作片（１３）への押圧が解除された際、前記第２の付勢部材（３２）によってリンクを逆方向に回動させ、前記押圧片（２９）が前記フック（３４）の側方を通過するようにするとともに、これに連動させて前記ボタン板（９）を後退させ、かつ、この状態から再度前記動作片（１３）が押圧されて前記リンク（８）が再度正方向に回動せしめられることによりその押圧片（２９）が前記フック（３４）を押圧し、フック（３４）を弾性変形させて係止部（４２）の係止窓（２１）への係止を解除させた後、動作片（１３）への押圧が解除された際、前記第１の付勢部材（１８）によってスライド板（７）を初期位置に復帰させると同時に、第２の付勢部材（３２）によってリンク（８）を逆方向に回動させるとともに、これに連動させて前記ボタン板（９）を後退させてその初期位置に復帰させるよう、構成されてなることを特徴とするスライダー機構（１）。
【請求項２】
前記リンク（８）には、回動軸（１５ａ）近傍に第１の突起（３０）が設けられるとともにこの第１の突起（３０）より回動端側に第２の突起（３１）が設けられ、前記ボタン板（９）には、前記第１の突起（３０）、第２の突起（３１）を内部に配置させる切欠（２４）が形成され、
前記切欠（２４）には、前記第１の突起（３０）を配置させて該第１の突起（３０）に当接可能となる縁部を有する幅の狭い部分と、前記第２の突起（３１）を配置させて該第２の突起（３１）に当接可能となる縁部を有する幅の広い部分とが形成され、
前記ボタン板（９）とリンク（８）とは、ボタン板（９）がリンク（８）を回動させる初期あるいはボタン板（９）がリンク（８）に連動する後期において、該切欠（２４）を形成する幅の広い部分の前記縁部で前記第２の突起（３１）を押圧しあるいは該第２の突起（３１）により幅の広い部分の前記縁部が押圧され、ボタン板（９）がリンク（８）を回動させる後期あるいはボタン板（９）がリンク（８）に連動する初期において、該切欠（２４）を形成する幅の狭い部分の前記縁部で前記第１の突起（３０）を押圧しあるいは該第１の突起（３０）により幅の狭い部分の前記縁部が押圧されるよう構成されてなることを特徴とする請求項１記載のスライダー機構（１）。
【請求項３】
前記ボタン板（９）の動作片（１３）側には、動作片（１３）をケース（６）の外に突出させるための開口（１４）の外側に、ボタン板（９）のケース（６）内への前進を規制する第１のストッパー（２５）が設けられ、該開口（１４）の内側に、ボタン板（９）のケース（６）外への後退を規制する第２のストッパー（２６）が設けられていることを特徴とする請求項１記載のスライダー機構（１）。
【請求項４】
前記ボタン板（９）の動作片（１３）側には、動作片（１３）をケース（６）の外に突出させるための開口（１４）の外側に、ボタン板（９）のケース（６）内への前進を規制する第１のストッパー（２５）が設けられ、該開口（１４）の内側に、ボタン板（９）のケース（６）外への後退を規制する第２のストッパー（２６）が設けられていることを特徴とする請求項２記載のスライダー機構（１）。
【請求項５】
前記ケース（６）には、前記リンク（８）の逆方向への回動を停止させる停止部（２０）が、リンク（８）が該停止部（２０）によって停止した際、前記ボタン板（９）に、その第２のストッパー（２６）が開口（１４）によって規制される位置と切欠（２４）の縁部がリンク（８）の第２の突起（３１）によって規制される位置との間であそびができる状態となるように配置されていることを特徴とする請求項４記載のスライダー機構（１）。
【請求項６】
前記フック（３４）は、前記押圧片（２９）に押圧される位置に傾斜面（４５）を有し、該傾斜面（４５）が前記押圧片（２９）に押圧されて弾性変形することにより、その係止部（４２）の前記係止窓（２１）への係止が解除されるよう構成されてなり、
前記リンク（８）の押圧片（２９）は、その正方向に向く面が前記フック（３４）の傾斜面（４５）にほぼ平行して形成されていることを特徴とする請求項１、２、３、４又は５記載のスライダー機構。
【請求項７】
前記作用片（２，３）と該作用片（２，３）を進退可能に突出させる作用口（１２）とが、それぞれ複数設けられていることを特徴とする請求項１、２、３、４、５又は６記載のスライダー機構（１）。
【発明の詳細な説明】
【０００１】
【発明の属する技術分野】
本発明は、作用片を進退させることによって作用片に所望の動作、例えば各種のスイッチングや種々の部材の進退・出没といった動作をなさせるための、スライダー機構に関する。
【０００２】
【従来の技術】
近年、各種の電化製品や携帯電話等の通信機器などが提供されている。これら電化製品や通信機器などでは、その小型化や操作の容易化が要求されており、これに伴い、そのスイッチング機構や部材の動作機構などについても、ワンタッチで簡単に操作できるタイプのものが望まれている。
【０００３】
【発明が解決しようとする課題】
しかしながら、このようなスイッチングや動作をなす機構は従来より様々のものが提供されているものの、例えばボタンの押圧操作のみでスイッチのオン・オフ操作を可能にし、しかも電化製品や通信機器などにおいて動作をなす部材の動作を行わせることもできる機構は提供されていなかった。
【０００４】
本発明は前記事情に鑑みてなされたもので、その目的とするところは、スイッチング機構になるとともに各種部材の動作機構にもなり、しかもワンタッチの押圧操作を繰り返すことでこれらの操作を可能にする、スライダー機構を提供することにある。
【０００５】
【課題を解決するための手段】
本発明のスライダー機構では、作用片（２，３）を進退させることによって作用片（２，３）に所望の動作をなさせるスライダー機構（１）であって、
ボディ（４）とこれを覆うカバー（５）とからなって内部に収納空間を形成し、この収納空間内に回動軸（１５ａ）を有したケース（６）と、
前記作用片（２，３）を有するスライド板（７）と、前記回動軸（１５ａ）に回動可能に支持され、かつその正方向への回動により前記スライド板（７）を前進方向に押圧するように設けられたリンク（８）と、動作片（１３）を有し、この動作片（１３）が押圧されることにより前記リンク（８）を押圧して前記回動軸（１５ａ）を軸に該リンク（８）をその正方向へ回動させ、このリンク（８）の回動によって前記スライド板（７）を前進させるとともに、該リンク（８）が逆方向に回動した際、これに連動して後退するボタン板（９）とからなり、前記ケース（６）内にてそれぞれ初期位置と動作位置との間を移動可能に配設された動作部（１０）と、
前記スライド板（７）をその動作位置側から初期位置側に向けて付勢する第１の付勢部材（１８）と、前記リンク（８）の回動端側が正方向に回動させられているとき、これをその逆方向に付勢する第２の付勢部材（３２）とからなる付勢部（１１）とを備え、
前記ケース（６）には、前記スライド板（７）の移動方向に沿って延びて前記作用片（２）を進退可能に突出させる作用口（１２）と、前記動作片（１３）をケース（６）の外に突出させるための開口（１４）と、係止窓（２１）とが形成され、
前記スライド板（７）には、前記係止窓（２１）に着脱可能に係止する係止部（４２）を備えたフック（３４）が弾性変形可能に設けられ、
前記リンク（８）には、前記フック（３４）の係止部（４２）が前記係止窓（２１）に係止しているとき、該リンク（８）が正方向に回動せしめられると前記フック（３４）を押圧して弾性変形させ、前記係止部（４２）の前記係止窓（２１）への係止を解除する押圧片（２９）が設けられ、
前記付勢部（１１）は、前記動作片（１３）が押圧されてリンク（８）がその正方向に回動せしめられることにより前記スライド板（７）が前進し、前記フック（３４）の係止部（４２）が前記係止窓（２１）に到達してフック（３４）が弾性復帰することにより該係止部（４２）が係止窓（２１）に係止した後、動作片（１３）への押圧が解除された際、前記第２の付勢部材（３２）によってリンクを逆方向に回動させ、前記押圧片（２９）が前記フック（３４）の側方を通過するようにするとともに、これに連動させて前記ボタン板（９）を後退させ、かつ、この状態から再度前記動作片（１３）が押圧されて前記リンク（８）が再度正方向に回動せしめられることによりその押圧片（２９）が前記フック（３４）を押圧し、フック（３４）を弾性変形させて係止部（４２）の係止窓（２１）への係止を解除させた後、動作片（１３）への押圧が解除された際、前記第１の付勢部材（１８）によってスライド板（７）を初期位置に復帰させると同時に、第２の付勢部材（３２）によってリンク（８）を逆方向に回動させるとともに、これに連動させて前記ボタン板（９）を後退させてその初期位置に復帰させるよう、構成されてなることを前記課題の解決手段とした。
【０００６】
このスライダー機構によれば、動作片を押圧することによってリンクがその正方向に回動し、前記スライド板が前進する。すると、前記フックの係止部が前記係止窓に到達してフックが弾性復帰することにより該係止部が係止窓に係止し、これによりスライド板の作用片は動作位置にて停止する。この後、動作片への押圧が解除されると、前記第２の付勢部材によってリンクが逆方向に回動させられ、その押圧片が前記フックの傾斜面と反対の側を通過するとともに、これに連動して前記ボタン板が後退して初期位置に復帰する。
【０００７】
この状態から再度動作片を押圧すると、前記リンクが再度正方向に回動せしめられてその押圧片が前記フックの傾斜面を押圧する。すると、この傾斜面が押圧されることによってフックが強制的に弾性変形させられ、係止部の係止窓への係止が解除させられる。この後、動作片への押圧が再度解除されると、前記第１の付勢部材によってスライド板が初期位置に復帰させられ、これによりフックの作用片も初期位置に復帰する。また、これと同時に、第２の付勢部材によってリンクが逆方向に回動させられ、これに連動して前記ボタン板も後退し、それぞれその初期位置に復帰する。
【０００８】
また、前記スライダー機構にあっては、前記リンクに、回動軸近傍に第１の突起を設けるとともにこの第１の突起より回動端側に第２の突起を設け、前記ボタン板に、前記第１の突起、第２の突起を内部に配置させる切欠を形成し、該ボタン板とリンクとを、ボタン板がリンクを回動させる初期あるいはボタン板がリンクに連動する後期において、該切欠を形成する縁部で前記第２の突起を押圧しあるいは該第２の突起により前記縁部が押圧され、ボタン板がリンクを回動させる後期あるいはボタン板がリンクに連動する初期において、該切欠を形成する縁部で前記第１の突起を押圧しあるいは該第１の突起により前記縁部が押圧されるよう構成するのが好ましい。
【０００９】
このように構成すれば、初期の動作片押圧時には回動軸から遠い位置にある第２の突起をボタン板の切欠の縁部で押圧することにより、比較的軽い押圧力でリンクを回動させることが可能になり、また、このように初期において軽く押圧することで円滑に回動させることのできたリンクを、後期においては回動軸から近い位置にある第１の突起をボタン板の切欠の縁部で押圧することにより、大きな負荷を感じることなく高い減速比で回動させることが可能になる。
また、動作片への押圧を解除して第２の付勢部材によりリンクを逆方向に回動させると、その初期においては第２の突起でボタン板の切欠の縁部を押圧し、ボタン板を後退させる。また、後期においては、第１の突起がボタン板の切欠の縁部を押圧し、ボタン板を後退させる。このとき、第２の付勢部材として例えばトーションバネを用いていると、リンクを逆方向に回動させる初期においては、バネ自体の付勢力が強いため減速比の高い第１の突起を押圧してもこれを良好に押圧してボタン板を円滑に後退させることが可能になり、また後期においては、バネ自体の付勢力が弱くなるものの減速比の低い第２の突起を押圧するようになるため、これを押圧してボタン板を円滑に後退させることが可能になる。
【００１０】
また、前記スライダー機構にあっては、前記ボタン板の動作片側の、動作片をケースの外に突出させるための開口の外側に、ボタン板のケース内への前進を規制する第１のストッパーを設け、該開口の内側に、ボタン板のケース外への後退を規制する第２のストッパーを設けるのが好ましい。
【００１１】
このように構成すれば、第１のストッパーと第２のストッパーとでボタン板のストロークが決められているので、不測の力が動作片に働いてもボタン板が過剰に動作することがなく、これにより過剰の力がリンクやスライド板に伝わらないため、これらリンクやスライド板の異常動作が防止される。
【００１２】
また、前記スライダー機構にあっては、前記の第１の突起と第２の突起と切欠とからなる減速機構と、第１、第２のストッパーとを設けた場合に、さらに、前記ケースにリンクの逆方向への回動を停止させる停止部を、リンクが該停止部によって停止した際、前記ボタン板に、その第２のストッパーが開口によって規制される位置と切欠の縁部がリンクの第２の突起によって規制される位置との間であそびができる状態となるように配置するのが好ましい。
【００１３】
このように構成すれば、停止部によってリンクがその逆方向への回動を停止させられている際、ボタン板にはあそびがあるため、リンクの第２の突起がボタン板の切欠の縁部に圧接してしまうことが回避され、これによりこれら第２の突起と縁部との間の摩耗が抑えられる。
【００１４】
また、前記スライダー機構にあっては、前記リンクの押圧片を、その正方向に向く面および逆方向に向く面をいずれも前記フックの傾斜面にほぼ平行して形成し、かつ、該フックの傾斜面と反対の側の面も、傾斜面にほぼ平行して形成するのが好ましい。
【００１５】
このように構成すれば、フックの係止部が係止窓に係止しているとき、動作片への押圧が解除されてリンクが第２の付勢部材によって逆方向に回動させられると、押圧片の逆方向を向く面がフックの傾斜面にほぼ平行に形成されており、またフックの傾斜面と反対の側の面がやはり傾斜面にほぼ平行していることから、押圧片がフックの傾斜面と反対の側の面にほとんど干渉されることなく、該傾斜面と反対の側を容易に通過するようになる。また、再度前記動作片が押圧されて前記リンクが再度正方向に回動せしめられると、押圧片の正方向を向く面が傾斜面にほぼ平行に形成されていることから、押圧片が傾斜面を押圧してフックを弾性変形させ、係止部の係止窓への係止を容易に解除させるようになる。
【００１６】
また、前記スライダー機構にあっては、前記作用片と該作用片を進退可能に突出させる作用口とを、それぞれ複数設けるのが好ましい。
【００１７】
このように構成すれば、作用片を複数設けることにより、例えば一つをスイッチング、他の一つを部材の進退・出没というようにそれぞれの作用片に別々の動作をなさせることが可能になる。
【００１８】
【発明の実施の形態】
以下、本発明を詳しく説明する。
図１は本発明のスライダー機構の一実施形態例を示す外観図、図２は図１に示したスライダー機構の分解斜視図、図３は同じく図１に示したスライダー機構の内部構成を示す側断面図であり、これらの図において符号１はスライダー機構である。
【００１９】
このスライダー機構１は、本例では二つの作用片、すなわち第１の作用片２と第２の作用片３とを同時に進退させることにより、これら作用片２、３にそれぞれ所望の動作、例えば各種のスイッチングや種々の部材の進退・出没といった動作をなさせるためのものである。
【００２０】
スライダー機構１は、ボディ４とこれの内面側を覆うカバー５とからなるケース６と、図２、図３に示すように前記作用片２、３を有するスライド板７とリンク８とボタン板９とからなる動作部１０と、コイルバネとトーションバネとからなる付勢部１１（図２では図示を省略している）とを備えて構成されたものである。
ケース６は、図３に示す薄厚の直方体箱形状で樹脂製のボディ４を、図１に示したように同じく薄厚の直方体箱形状でステンレスなどの金属製のカバー５で覆うことにより、内部に収納空間を形成した直方体形状のもので、この収納空間（図示略）に前記動作部１０と付勢部１１とを収納したものである。
【００２１】
このケース６には、図１、図２に示したようにカバー５の一方の隅部に該カバー５の長辺方向に延びる作用口１２が形成され、またこの作用口１２が形成された隅部と反対の側のケース６の側板（図１、図３中において下側となる側板）にも、ケース６の長辺方向に延びる作用口（図示せず）が形成されている。これら作用口１２は、前記スライド板７の第１の作用片２、第２の作用片３をそれぞれケース６外に突出させ、その状態でこれら作用片２、３を図１中矢印で示すように作用口１２の長さ方向に進退させるためのものである。また、このケース６には、図２、図３に示すように一方の前記作用口１２を形成した側板と隣合う側板に、前記ボタン板９に設けられた動作片１３をケース６の外に突出させるための開口１４が形成されている。
【００２２】
ケース６を構成するボディ４には、図２に示すようにリンクシャフト１５がその回動軸１５ａを貫通孔（図示せず）に貫通させた状態で取りつけられており、これによってボディ４の内面には、図３に示すように回動軸１５ａが突出した状態で設けられている。また、ボディ４の内面には、図３に示すようにスライド板７の前部下側を保持して該スライド板７の動作を規制する第１の規制部材１６と、スライド板７の中央部上側を保持して該スライド板７の動作を規制する第２の規制部材１７とが設けられている。ボディ４の、前記開口１４の近傍には、コイルバネからなる第１の付勢部材１８の一端側を保持するための、保持突起１９が設けられている。さらに、ボディ４の内面には、リンク８の逆方向への回動を停止させるための突起状の停止部２０が設けられている。
【００２３】
ケース６を構成するカバー５には、図１、図２に示したように前記作用口１２に連通してこれの中央上部に、正方形の開口形状の係止窓２１が形成されている。この係止窓２１は、後述するスライド板７の係止部を係止させるためのものである。また、カバー５のやや下側には、第１の折曲部２２と第２の折曲部２３とが形成されている。これら折曲部２２、２３は、カバー５の一部を切り欠いてこれを内側に折り曲げたことにより形成されたもので、この折り曲げられた部分が、第１の折曲部２２では後述するように第２の付勢部材を押えるものとなっており、第２の折曲部２３では後述するようにボタン板９の位置を規制する規制部材となっている。
【００２４】
ボタン板９は、図３に示したように硬質樹脂あるいは金属からなる細長い板状のもので、ケース６から引き出された後端部分を動作片１３とし、その先端部を略コ字状としてこのコ字部分の内側を切欠２４としたものである。切欠２４は、外側に開いた部分の幅が狭く、奥側の閉じた部分の幅が広く形成されたもので、後述するリンクの第１の突起、第２の突起とともに減速機構を構成するものである。
【００２５】
また、このボタン板９の動作片１３側には、ケース６の開口１４の外側に第１のストッパー２５が、また開口１４の内側に第２のストッパー２６が形成されている。これらストッパー２５、２６は、ボタン板９の幅より十分に大きく形成されたもので、これにより開口１４より大きく形成されたものである。このような構成により第１のストッパー２５は、ボタン板９のケース６内への前進を規制するものとなっており、一方、第２のストッパー２６は、ボタン板９のケース６外への後退を規制するものとなっている。したがって、ボタン板９のストロークは、これら第１のストッパー２５と第２のストッパー２６との間隔によって決定されているのである。
【００２６】
また、このボタン板９は、その先端部分（前部）の下側が前記第１の規制部材１６に保持され、その中央部（切欠２４よりやや中央側）の上側が前記第２の規制部材１７に保持されており、これによってその動作時に、上下にぶれることなく前後に直線的に進退するようになっている。また、その動作片１３側におけるカバー５側の面には、前記第２の折曲部２３が当接せしめられており、これによってもボタン板９は、その位置が規制されるとともに、動作時にぶれが生じないようになっている。
なお、動作片１３には、必要に応じてその後端に化粧ボタン（図示せず）を取りつけてもよく、これによって動作片１３の押圧操作をより容易にし、また意匠的にも良好なものにすることができる。
【００２７】
リンク８は、図４（ａ）、（ｂ）に示すように硬質樹脂等からなる略矩形板状のもので、その一端側に回動孔２７を形成し、他端側に押圧部２８および押圧片２９を形成したものである。このような構成のもとにリンク８は、図３に示したようにその回動孔２７が回動軸１５ａに嵌合することにより、該回動軸１５ａに回動可能に支持されたものとなっている。また、リンク８には、回動軸１５ａの近傍に第１の突起３０が形成され、さらにこの第１の突起３０より回動端側、すなわち前記押圧片２９側に第２の突起３１が形成されている。
【００２８】
これら第１の突起３０、第２の突起３１は、図３に示したように前記ボタン板９の切欠２４の内部に位置するよう配されたもので、第１の突起３０は切欠２４の幅が狭い部分に、また第２の突起３１は切欠２４の幅の広い部分にそれぞれ配置されたものである。このような構成のもとに、これら第１の突起３０、第２の突起３１と切欠２４とからなる減速機構にあっては、後述するようにボタン板９がリンク８を回動させる初期あるいはボタン板９がリンク８の逆方向への回動に連動する後期において、該切欠２４の幅が広い部分の縁部で前記第２の突起３１を押圧しあるいは該第２の突起３１により前記縁部が押圧されるようになっている。また、ボタン板９がリンク８を回動させる後期あるいはボタン板９がリンク８の逆方向への回動に連動する初期において、該切欠２４の幅が狭い部分の縁部で前記第１の突起３０を押圧しあるいは該第１の突起３０により前記縁部が押圧されるようになっている。
【００２９】
したがって、回動軸１５ａに近い第１の突起３０を押圧しあるいはこれに押圧される際には、高い減速比、すなわちボタン板９の短いストロークによってリンク８の大きな回動が得られ、あるいはリンク８の大きな回動によってボタン板９の短いストロークが得られる。一方、回動軸１５ａに遠い第２の突起３１を押圧しあるいはこれに押圧される際には、低い減速比、すなわちボタン板９の長いストロークによってリンク８の小さな回動が得られ、あるいはリンク８の小さな回動によってボタン板９の長いストロークが得られる。
【００３０】
リンク８の他端側、すなわち回動側に形成された押圧部２８は、図３中矢印方向に、スライド板７の作用片２を押圧するよう構成されたもので、この矢印方向に向く面によって前記作用片２の基端側を押圧するよう構成されたものである。また、押圧片２９は、後述するようにフックの係止部が前記係止窓２１に係止しているとき、リンク８が正方向に回動せしめられることによりフックの傾斜面を押圧し、係止部の係止窓２１への係止を解除するためのもので、図４（ｂ）に示すように、リンク８の回動方向に向く面２９ａ、２９ｂが、いずれもフックの傾斜面にほぼ平行した状態に形成されたものである。
【００３１】
また、このリンク８には、図３に示したようにその回動側となる押圧部２８にトーションバネからなる第２の付勢部材３２の一端が取り付けられている。この第２の付勢部材３２は、リンク８とともに回動軸１５ａに取り付けられたもので、リンク８よりカバー５側に配置されたものであり、その他端がボディ４の周壁部に固定されたものである。このような構成によって第２の付勢部材３２は、リンク８が図３中矢印方向、すなわち正方向に回動させられると、この力により弾性変形させられ、その結果弾性復帰の力によってリンク８を逆方向に付勢するものとなる。
【００３２】
また、この第２の付勢部材３２は、前記押圧部２８に取り付けられた一端側、およびボディ４の周壁部に固定された他端側がいずれもく字状に折れ曲がった形状となっており、これによって特にリンク８の押圧部２８に取り付けられた一端側は、その弾性復帰の力によってリンク８を逆方向に付勢する際、この一端側が反力を受けて逆に曲がってしまうことが抑えられ、これにより弾性復帰の力をリンク８に確実に伝えてこれを逆方向に付勢することができるようになっている。
【００３３】
スライド板７は、ケース６の収納空間において、リンク８よりボディ４側に配置されたもので、図５に示すように金属製のスライド板本体３３と樹脂製のフック３４とからなるものである。スライド板本体３３は、細板状の本体板部３５と、これの先端側にてカバー５側に直角に折れ曲がった状態に形成された第１の作用片２と、本体板部３５の後端側にて下方に延びかつカバー５側に直角に折れ曲がった状態に設けられた第２の作用片３と、第１の作用片２の近傍にて後端側に向かって延びるスペーサ部３６と、第２の作用片３の上方にてスペーサ部３６と対峙した位置に設けられた保持部３７と、この保持部３７よりさらに上方に設けられたフック取り付け部３８とからなるものである。
【００３４】
フック３４は、スライド板本体３３のフック取り付け部３８に取り付けられる取り付け部３９と、この取り付け部３９から延びる細板部４０と、この細板部４０の先端から傾斜した状態で延びる傾斜部４１と、この傾斜部４１の先端にて折れ曲がった状態で延びる係止部４２とから構成されたもので、前記フック取り付け部３８に形成された取付孔４３、４３に取り付け部３９の突起４４、４４が嵌合することにより、スライド板本体２２に一体化されたものである。
【００３５】
第１の作用片２は、図１に示したようにその先端側が作用口１２よりケース６の外側に突出し、第２の作用片３は、その下端側が作用口（図示略）よりケース６の外側に突出したもので、前述したように図１中矢印で示す往復運動をすることによって所望の動作をなすものであり、例えば一方が部材の進退・出没をなすものとなり、他方がスイッチングをなすものとなる。すなわち、進退・出没をなす場合には、作用片が初期位置にあるとき部材を後退あるいは埋没した状態とし、動作位置にあるとき部材を前進あるいは突出した状態にすればよい。また、スイッチングをなす場合には、予め作用片に電気接点（コネクター）を設けておき、初期位置では電気接点どうしが離れ、動作位置では電気接点どうしが接するような構成とすればよい。なお、これら二つの作用片２、３については、いずれも部材の進退・出没をなすようにしてもよく、またスイッチングをなすようにしてもよい。
【００３６】
スペーサ部３６は、後述するようにリンク８が回動する際、ボディー４側に隙間があるとぶれが生じてしまうのを、防止するためのものである。
保持部３７は、図３に示したようにボディ４の保持突起１９に一端側が保持された第１の付勢部材１８の、他端側を保持するもので、これによりスライド板７は、該第１の付勢部材１８によって引き戻される方向、すなわち後端側に付勢されたものとなっている。
【００３７】
フック３４は、図２に示したようにその傾斜部４１がカバー５側、すなわちカバー５に形成された係止窓２１側に近づくように傾斜してなるものである。この傾斜部４１の先端には係止部４２が形成されており、この係止部４２の内側の面（後端側の面）には係止凹部４２ａが形成されている。係止部４２は、通常時にはカバー５の内面に当接することにより、フック３４の傾斜部４１から細板部４０にかけての箇所が、ボディ４側に弾性変形した状態でケース６中に納められている。また、後述するようにスライド板７が前進せしめられ、係止部４２が係止窓２１に到ると、係止部４２はその先端がカバー５の内面から開放されることによって弾性復帰し、結果として係止凹部４２ａが係止窓２１に係止するようになる。
ここで、フック３４の傾斜部４１におけるカバー５側の面は、係止部４２側に行くに連れて漸次カバー５側に近づくような傾斜面４５となっており、この傾斜面４５と反対の側の面も、該傾斜面４５とほぼ平行な傾斜面となっている。
【００３８】
次に、このような構成のスライダー機構の動作を説明する。
まず、図１中実線で示すように作用片２、３が初期位置にあるときには、図３に示すようにスライド板７は、第１の付勢部材１８によって後端側である開口１４側に引き寄せられ、また、リンク８は、その一端側が第２の付勢部材３２によって開口１４側に付勢されていることにより、リンク８が停止部２０に当接し、その回動が停止せしめられている。
【００３９】
ここで、このようにリンク８が初期位置にあり、したがってこれに連動するボタン板９も初期位置にあるときには、ボタン板９は、その後端側への移動が第２のストッパー２６の開口１４への当接によって規制され、また先端側への移動が切欠２４の縁部の第２の突起３１への当接によって規制されている。しかしながら、本例においてはこれらの間にあそびが形成されるよう、前記停止部２０が位置決めされていることから、リンク８の第２の突起３１がボタン板９の切欠２４の縁部に圧接してしまい、これにより摩耗が起きて耐久性が損なわれてしまうといったことが回避されている。
【００４０】
この初期位置から動作位置に、すなわち初期状態から動作状態にするべく、動作片１３の後端を例えば指で押圧すると、動作片１３が押されたことによってボタン板９は、その初期においては切欠２４の幅の広い部分の縁部でリンク８の第２の突起３１を押圧して該リンク８を回動させ、後期においては切欠２４の幅の狭い部分の縁部でリンク８の第１の突起３０を押圧して該リンク８を回動させる。このとき、初期においては減速比が低いことから比較的軽い押圧力でリンク８を回動させることができ、また、後期においては、初期において軽く押圧することで円滑に回動させることができたので、減速比が高いにもかかわらずそのまま大きな負荷を感じることなくリンク８を回動させることができる。
【００４１】
このようにしてリンク８が回動すると、その押圧部２８がスライド板７の第１の作用片２を押圧することにより、図６（ａ）に示すようにスライド板７を前進させる。スライド板７が前進すると、そのフック３４の係止部４２がカバー５の係止窓２１に到達し、係止部４２が弾性復帰して図７（ａ）に示したように係止部４２の係止凹部４２ａが係止窓２１に係止する。このようにして係止凹部４２ａが係止窓２１に係止すると、この係止が確実となることにより、振動や衝撃が加えられてもこの係止が簡単には解除されず、したがって振動や衝撃に起因する誤作動が防止される。なお、このような動作は、前述したように、係止部４２が係止窓２１に到る前には該係止部４２がカバー５の内面に当接することによってフック３４が弾性変形し、係止部４２側がボディ４側に逃げていたのが、係止窓２１のある位置に到ることにより、フック３４が弾性復帰することによって起こる。
【００４２】
このようにしてスライド板７を動作位置に移動させ、したがって第１、第２の作用片２、３をそれぞれその動作位置に移動させたら、操作者はこれを感知して動作片１３への押圧を止める。すると、動作片１３への押圧が解除されたことによってリンク８は、第２の付勢部材３２の付勢力により、図６（ｂ）に示すように逆方向に回動せしめられる。リンク８の回動によって押圧片２９は、前記フック３４の係止部４２が係止窓２１に係止していることにより傾斜部４１がカバー５側に十分傾斜していることから、図７（ｂ）に示すように傾斜面４５と反対の側を通過する。このとき、押圧片２９の逆方向を向く面がフック３４の傾斜面４５にほぼ平行に形成されており、またフック３４の傾斜面４５と反対の側の面もこの傾斜面４５にほぼ平行していることから、押圧片２９はフック３４の傾斜面４５と反対の側の面にほとんど干渉されることなく、該傾斜面４５と反対の側をスムーズに通過し、図６（ｃ）に示すようにフック３４の下方に通り抜けるようになる。
また、このようなリンク８の逆方向への回動に連動して、ボタン板９も後退し、初期位置に復帰する。
【００４３】
また、スライド板７はリンク８の回動に干渉されないことから、図６（ａ）に示したようにその係止部４２が係止窓２１に係止した位置、すなわち動作位置に留まる。したがって、このような一連の操作により、スライド板７の作用片２、３はいずれも図１中二点鎖線で示す動作位置に至り、所望の動作、例えば部材の前進や突出、またはスイッチ・オン等をなす。
【００４４】
このようにして所望の動作を行わせた後、初期状態（例えばスイッチ・オフの状態）に戻すべくスライド板７を初期位置に戻したいときには、図６（ｃ）に示した状態から再度動作片１３を押圧する。
すると、動作片１３が押されたことによってボタン板９は、先に述べたときと同様に、その初期においては切欠２４の幅の広い部分の縁部でリンク８の第２の突起３１を押圧して該リンク８を回動させ、後期においては切欠２４の幅の狭い部分の縁部でリンク８の第１の突起３０を押圧して該リンク８を回動させる。
【００４５】
このようにしてリング８が回動すると、第１の作用片２は動作位置にあることからリンク８はこれを押圧することなく回動する。そして、図８（ａ）に示すようにフック３４の傾斜部４１が位置するところに到ると、図７（ｃ）に示すように押圧片２９がフック３４の傾斜面４５を押圧する。すると、この傾斜面４５は、受けた押圧力を係止部４２が係止窓２１から離間する方向に作用させ、結果として係止部４２の係止凹部４２ａの係止窓２１への係止を解除させるべく、フック３４を強制的に弾性変形させる。
【００４６】
このようにして係止片２７が弾性変形し、係止部２８の係止窓１９への係止が解除されると、操作者はこれを感触や音で感知することから、動作片１３への押圧を止める。すると、リンク８は第２の付勢部材３２によって逆方向に回動させられ、また、これに連動して前記ボタン板９も後退することにより、図８（ｂ）に示すようにそれぞれその初期位置に復帰する。また、これと同時に、スライド板７も第１の付勢部材１８によって初期位置に復帰させられ、これにより第１の作用片２、第２の作用片３もそれぞれ図１中実線で示した初期位置に復帰し、所望の動作、例えばスイッチ・オフ等をなす。
なお、このような動作については、動作片１３の押圧を単純に行うことによって繰り返すことができるのはもちろんである。
【００４７】
このようなスライダー機構１にあっては、ワンタッチの押圧操作を繰り返すことで第１の作用片２、第２の作用片３に所望の動作、例えば各種のスイッチングや種々の部材の進退・出没といった動作をなさせることができ、したがって家電製品や通信機器の部品として広範囲の用途を持つものとなる。
【００４８】
また、リンク８に第１の突起３０と第２の突起３１とを設け、ボタン板９に切欠２４を形成することにより、減速機構を形成したので、動作片１３を押圧してリンク８を正方向に回動させる場合に、その初期においては比較的軽い押圧力でリンク８を回動させることができ、また、後期においては大きな負荷を感じることなく高い減速比でリンク８を回動させ、ボタン板９の短いストロークでスライド板７を大きく前進させることができる。
また、動作片１３への押圧を解除して第２の付勢部材３２によりリンク８を逆方向に回動させる場合に、その初期においては、トーションバネ自体の付勢力が強いため減速比の高い第１の突起３０を押圧してもボタン板９を円滑に後退させることができ、また後期においては、トーションバネ自体の付勢力が弱くなるものの減速比の低い第２の突起３１を押圧するようになるため、これを押圧してボタン板９を円滑に後退させることができる。
【００４９】
また、ボタン板９の動作片１３側に第１のストッパー２５と第２のストッパー２６とを形成しているので、ボタン板９のストロークを一定範囲に決めることができ、これにより不測の力が動作片１３に働いてもボタン板９が過剰に動作することがなく、したがって過剰の力がリンク８やスライド板７に伝わらないため、これらリンク８やスライド板７の異常動作を防止することができる。
【００５０】
また、ケース６にリンク８の逆方向への回動を停止させる停止部２０を設けているので、この停止部２０によってリンク８がその逆方向への回動を停止させられている際、ボタン板９にあそびがあることにより、リンク８の第２の突起３１がボタン板９の切欠２４の縁部に圧接してしまうことを回避することができ、したがってこれら第２の突起３１と縁部との間の摩耗を抑えて耐久性を高めることができる。
【００５１】
また、リンク８の押圧片２９を、その正方向に向く面および逆方向に向く面をいずれもフック３４の傾斜面４５にほぼ平行して形成し、かつ、該フック３４の傾斜面４５と反対の側の面も、傾斜面４５にほぼ平行して形成しているので、フック３４の係止部４２が係止窓２１に係止しているとき、リンク８を逆方向に回動させると、押圧片２９を、フック３４の傾斜面４５と反対の側の面にほとんど干渉されることなく、該傾斜面４５と反対の側をスムーズに通過させることができる。また、再度動作片１３を押圧してリンク８を再度正方向に回動させると、押圧片２９の正方向を向く面が傾斜面４５にほぼ平行に形成されていることから、押圧片２９が傾斜面４５を押圧してフック３４を強制的に弾性変形させ、係止部４２の係止窓２１への係止を容易に解除させることができる。
【００５２】
また、二つの作用片２、３を形成したことから、例えば一方をスイッチング、他方を部材の進退・出没というようにそれぞれの作用片に別々の動作をなさせることができ、したがってより広範囲の用途を持つものとなる。
【００５３】
なお、前記実施形態例では、作用片を二つ設けたが、本発明はこれに限定されることなく、一つ、あるいは三つ以上設けるようにしてもよく、例えば三つ設ける場合、図５に示すように、スライド板７のスライド板本体３３における本体板部３５の、第１の作用片２を形成した箇所を図５中２点鎖線で示すように上方に延ばし、これを第３の作用片４６としてもよい。なお、その場合には、もちろんケース６のこれに対応した位置に、作用口（図示せず）を設ける。
【００５４】
また、第２の付勢部材３２として、両端側がそれぞれく字状に折れ曲がったトーションバネを用いたが、本発明はこれに限定されることなく、通常の、全体がへ字状に構成されたトーションバネを用いてもよい。
また、前記実施形態例では、別部材のスライド板本体３３とフック３４とを一体化することによってスライド板７を形成したが、本発明はこれに限定されることなく、全体を単一の部材から構成してスライド板７を形成してもよい。
【００５５】
さらに、前記実施形態例では、フック３４の係止部４２の内側の面に係止凹部４２ａを形成し、これを係止窓２１に係止させるようにしたが、本発明はこれに限定されることなく、図９（ａ）に示すように係止部４２全体が内側（後端側）に向くように係止部４２を傾斜部４１の先端からＶ字状に折れ曲がった状態に形成し、これにより係止窓２１との係止を確実にして振動や衝撃に起因する誤作動を防止してもよく、また、振動や衝撃を考慮する必要がない場合などでは、図９（ｂ）に示すように単に係止凹部を形成しない係止部４２で係止窓２１と係止させるようにしてもよい。
【００５６】
【発明の効果】
以上説明したように本発明のスライダー機構は、ワンタッチの押圧操作を繰り返すことで作用片に所望の動作、例えば各種のスイッチングや種々の部材の進退・出没といった動作をなさせることができる。したがって、例えば作用片を電気接点（コネクター）とすることによって家電製品など各種の機器のスイッチ（スイッチング機構）とすることができ、また、カメラ設置型の携帯電話において作用片にＣＣＤカメラを固定しておくことにより、このカメラの出没機構とすることもできる。よって、本発明のスライダー機構は家電製品や通信機器の部品として広範囲の用途を持つものとなり、また、これらに用いられた場合にその操作性を高めることができる。
【図面の簡単な説明】
【図１】  本発明のスライダー機構の一実施形態例を示す外観図である。
【図２】  図１に示したスライダー機構の分解斜視図である。
【図３】  図１に示したスライダー機構の組み立てた状態における内部構成を示す側断面図である。
【図４】  （ａ）はリンクの概略構成を示す斜視図、（ｂ）はリンクの平面図である。
【図５】  スライド板の概略構成を示す斜視図である。
【図６】  （ａ）〜（ｃ）はスライダー機構の初期状態から動作状態に移行する動作を順に説明するための側断面図である。
【図７】  （ａ）はフックの係止部が係止窓に係止している状態を示す図、（ｂ）は押圧片が傾斜部の裏側を通り抜ける状態を説明する図、（ｃ）は押圧片が傾斜面を押圧して係止部を係止窓から外させる状態を説明する図である。
【図８】  （ａ）、（ｂ）はスライダー機構の動作状態から初期状態に移行する動作を順に説明するための側断面図である。
【図９】  （ａ）、（ｂ）は係止部の形状の変形例を説明するための図である。
【符号の説明】
１…スライダー機構、２…第１の作用片、３…第２の作用片、４…ボディ、５…カバー、６…ケース、７…スライド板、８…リンク、９…ボタン板、１０…動作部、１１…付勢部、１２…作用口、１３…動作片、１４…開口、１５ａ…回動軸、１８…第１の付勢部材、２０…停止部、２１…係止窓、２４…切欠、２５…第１のストッパー、２６…第２のストッパー、２９…押圧片、３０…第１の突起、３１…第２の突起、３２…第２の付勢部材、３４…フック、４２…係止部、４５…傾斜面
【図１】
0004425440.tif 000002
【図２】
0004425440.tif 000003
【図３】
0004425440.tif 000004
【図４】
0004425440.tif 000005
【図５】
0004425440.tif 000006
【図６】
0004425440.tif 000007
【図７】
0004425440.tif 000008
【図８】
0004425440.tif 000009
【図９】
0004425440.tif 000010